(57)【要約】【課題】汎用性のある除塵用レーキを提供する。【解決手段】除塵用レーキ１０は、複数のバー部材Ｂｖとバー部材Ｂｖを支持した支持バーＢｈで格子状に構成したバースクリーンＳｂに滞留した塵芥を除去できる。除塵用レーキ１０は、操作棒１、レーキ部２、及び、複数の除去棒３を備える。操作棒１は、レーキ部２を先端部に固定している。複数の除去棒３は、レーキ部２の一方の面から進退自在に突出している。レーキ部２は、操作棒１が延びる方向と直交する方向に、複数の除去棒３を二列に配置すると共に、これらの除去棒３を行方向に千鳥状に配列している。除塵用レーキ１０は、一部の除去棒３がバースクリーンＳｂのバー部材Ｂｖに当接しても、他の除去棒３がバー部材Ｂｖの隙間に進入できる。これにより、複数のバー部材Ｂｖの列間ピッチＰが異なるバースクリーンであっても、バースクリーンＳｂに滞留した塵芥Ｒｆを除去できる。【選択図】図２
2018084062.tif 000002
【特許請求の範囲】
【請求項１】
複数の平板状のバー部材、及び、これらのバー部材を支持した複数の支持バーで格子状に構成したバースクリーンに滞留した塵芥を除去するための除塵用レーキであって、
基端部側を把持自在な長尺の操作棒と、
この操作棒の先端部に固定した箱状のレーキ部と、
前記レーキ部の一方の面から進退自在に突出した複数の除去棒と、を備え、
前記レーキ部は、前記操作棒が延びる方向と直交する方向に、複数の前記除去棒を多列に配置すると共に、これらの除去棒を行方向に千鳥状に配列している、除塵用レーキ。
【請求項２】
前記除去棒は、円柱状の軸部と、この軸部の頭部に形成した円板部と、を有し、
前記レーキ部は、
前記除去棒の軸部を一方の面から進退自在に突出すると共に、前記円板部を内部に収容した直方体状の収容箱と、
前記収容箱の内部に配置され、前記軸部が前記収容箱の一方の面から突出する力を前記円板部に付勢する圧縮コイルばねと、を有し、
複数の前記収容箱は、前記レーキ部の内部に隙間無く配置されている、請求項１記載の除塵用レーキ。
【請求項３】
前記除去棒の軸部は、前記バー部材の一方の板厚面から前記支持バーに到達しない長さを有している、請求項１又は２記載の除塵用レーキ。
【請求項４】
前記除去棒の軸部は、塵芥を係合自在な一つ以上の円環状の溝部を先端部側に有している、請求項１から３のいずれかに記載の除塵用レーキ。
【発明の詳細な説明】
【技術分野】
【０００１】
本発明は、除塵用レーキに関する。特に、取水口などに配置した格子状のバースクリーンを構成する複数のバー部材のピッチに規定されることなく、バースクリーンに滞留した塵芥を除去できる、除塵用レーキの構造に関する。
【背景技術】
【０００２】
水力発電所では、ダム又は河川から取水し、取水した流水の落差を利用して、発電機用水車を回転することで発電している。一般に、発電機用水車の上流側に配置した取水口には、格子状のバースクリーンを配置している。バースクリーンを取水口に配置することで、ダム又は河川に流入した、落ち葉、木の枝、流木、又は小石などの塵芥が発電機用水車に直接、流入することを阻止できる。
【０００３】
例えば、流水方向と直交する方向に、所定の隙間を設けて並設配置した複数のバー部材、及び、これらのバー部材の長手方向と直交する方向に配置され、これらのバー部材を支持した複数の平板状の支持バーで格子状に構成したバースクリーンが開示されている（例えば、特許文献１参照）。
【０００４】
ところで、取水口に配置したバースクリーンで堰き止めた塵芥の量が多くなると、取水効率が低下するので、定期的又は不定期に、手動式の熊手状の除塵用レーキを用いて、これらの塵芥を除去していた。
【０００５】
従来技術による手動式の除塵用レーキは、長尺の操作棒と操作棒の先端部に固定したレーキ部で構成している。レーキ部には、操作棒と直交する方向に複数の除去爪を配列している。そして、複数の除去爪をバースクリーンのバー部材の間に挿入し、バー部材の長手方向に沿って、操作棒を操作することで、塵芥を除去していた。
【０００６】
しかし、取水口に配置したバースクリーンの高さが大きい場合には、これに合わせて、除塵用レーキの操作棒を長く設定しておく必要があった。一方、除塵用レーキの操作棒を長くすると、除塵用レーキ全体が重くなると共に、レーキ部で除去した塵芥を足場まで引き上げるのに多大な労力を要するという不具合があった。
【０００７】
このような不具合を解消するために、バースクリーンに付着又は堆積した塵芥を除去するための除塵用レーキであって、複数の除去爪を配列したレーキ部を操作棒に沿って移動自在な電動式の除塵用レーキが開示されている（例えば、特許文献２参照）。
【先行技術文献】
【特許文献】
【０００８】
【特許文献１】特開２００９−２７０３５０号公報
【特許文献２】特開２００７−１９１９３８号公報
【発明の概要】
【発明が解決しようとする課題】
【０００９】
図６は、従来技術によるバースクリーンの構成を示す図であり、図６（Ａ）は、バースクリーンの斜視図、図６（Ｂ）は、バースクリーンの要部を拡大した縦断面図である。なお、本願の図６は、特許文献１の図７に相当している。
【００１０】
図６を参照すると、従来技術によるバースクリーンＳｂは、例えば、傾斜した状態で、取水口Ｗｉに配置されている。バースクリーンＳｂは、複数の平板状のバー部材Ｂｖと複数の平板状の支持バーＢｈで格子状に構成している。バー部材Ｂｖは、所定の隙間を設けて並設配置されている。支持バーＢｈは、これらのバー部材Ｂｖを支持している。
【００１１】
図６を参照すると、バー部材Ｂｖは、その板厚面が流水Ｗの流水方向Ｆと直交する方向に配置されている。支持バーＢｈは、その板厚面が流水Ｗの流水方向Ｆと略直交する方向に配置されている。複数のバー部材Ｂｖを取水口Ｗｉの前面側に配置することで、落ち葉、木の枝、流木、又は小石などの塵芥が取水口Ｗｉに流入することを阻止できる。
【００１２】
図７は、従来技術による電動式の除塵用レーキの構成を示す図であり、図７（Ａ）は、電動式の除塵用レーキの右側面図、図７（Ｂ）は、電動式の除塵用レーキの正面図である。なお、本願の図７は、特許文献２の図２に相当している。
【００１３】
図７を参照すると、従来技術による除塵用レーキ９は、長尺の操作棒９１とレーキ部９２を備えている。又、除塵用レーキ９は、電動ウィンチ９３とワイヤ９４を備えている。除塵用レーキ９は、流水Ｗを取水する取水口Ｗｉに設置したバースクリーンＳｂに付着又は堆積した塵芥Ｒｆを除去できる（図７（Ａ）参照）。
【００１４】
図７（Ａ）を参照すると、操作棒９１は、地上に立った作業者Ｍが一端部側を把持でき、他端面が水路の底面に到達する程度の長さを有している。レーキ部９２は、操作棒９１に沿って移動自在に操作棒９１と連結している。
【００１５】
図７を参照すると、レーキ部９２は、円筒状のスライド部材９２ｓと複数の除去爪９２ｎを有している。スライド部材９２ｓは、操作棒９１とスライド自在に連結している。複数の除去爪９２ｎは、操作棒９１と直交する方向に配列している。スライド部材９２ｓと複数の除去爪９２ｎは、一体になって移動できる。
【００１６】
図７を参照すると、電動ウィンチ９３は、操作棒９１の基端部側に固定している。又、電動ウィンチ９３は、回転自在なリール９３ｒを有している。図示しないスイッチを操作することで、リール９３ｒを正逆回転又は停止できる。ワイヤ９４は、その一端部をスライド部材９２ｓに係留している。又、ワイヤ９４は、その他端部側をリール９３ｒに巻回している。
【００１７】
図７（Ａ）を参照して、図示しないスイッチを操作すると、レーキ部９２を上方に向かって移動でき、除去爪９２ｎで塵芥Ｒｆを掻き出すことができる。図示しないスイッチを操作すると、レーキ部９２の自重でレーキ部９２を下降できる。前述の操作を繰り返すことで、バースクリーンＳｂに付着又は堆積した塵芥Ｒｆを除去できる。
【００１８】
図７に示した例では、除塵用レーキ９は、移動台車８に支持されている。移動台車８は、台車本体８１と揺動アーム８２で構成している。揺動アーム８２は、その一端部が台車本体８１に回転自在に連結している。又、揺動アーム８２は、その他端部が操作棒９１の基端部側に回転自在に連結している。これにより、作業者Ｍは、除去爪９２ｎを小刻みに動かすことができる。
【００１９】
図６を参照して、取水口Ｗｉなどに配置されるバースクリーンＳｂは、設置場所によって、その大きさも異なり、バー部材Ｂｖの列間ピッチＰも異なっている（図６（Ａ）参照）。図７を参照して、複数の除去爪９２ｎは、複数のバー部材Ｂｖの列間に滞留した塵芥Ｒｆを掻き出すことができるように、複数の除去爪９２ｎの列間ピッチが考慮されている。
【００２０】
しかし、図７に示した除塵用レーキ９をバー部材Ｂｖの列間ピッチＰが異なる他のバースクリーンＳｂに適用すると、除去爪９２ｎの先端面がバー部材Ｂｖの表面に当接して、複数のバー部材Ｂｖの列間に滞留した塵芥Ｒｆを掻き出すことが困難になるという問題があった。つまり、従来技術による除塵用レーキは、バースクリーンの表面に滞留した塵芥を除去できても、バースクリーンの内部に滞留した塵芥を除去することが困難になるという問題があった。これは、手動式の除塵用レーキでも同様である。
【００２１】
複数のバー部材の列間ピッチが異なるバースクリーンであっても、複数のバー部材の列間に滞留した塵芥を掻き出すことが容易な汎用性のある除塵用レーキが求められていた。そして、以上のことが本発明の課題といってよい。
【００２２】
本発明は、このような課題に鑑みてなされたものであり、複数のバー部材の列間ピッチが異なるバースクリーンであっても、バースクリーンに滞留した塵芥を除去できる、除塵用レーキを提供することを目的とする。
【課題を解決するための手段】
【００２３】
本発明者らは、箱状のレーキ部を長尺の操作棒の先端部に固定し、レーキ部には、進退自在に突出した複数の除去棒を配置し、操作棒が延びる方向と直交する方向に、複数の除去棒を多列に配置すると共に、これらの除去棒を行方向に千鳥状に配列することで、複数のバー部材の列間ピッチが異なるバースクリーンであっても、バースクリーンに滞留した塵芥を除去できると考え、これに基づいて、以下のような新たな除塵用レーキを発明するに至った。
【００２４】
（１）本発明による除塵用レーキは、複数の平板状のバー部材、及び、これらのバー部材を支持した複数の支持バーで格子状に構成したバースクリーンに滞留した塵芥を除去するための除塵用レーキであって、基端部側を把持自在な長尺の操作棒と、この操作棒の先端部に固定した箱状のレーキ部と、前記レーキ部の一方の面から進退自在に突出した複数の除去棒と、を備え、前記レーキ部は、前記操作棒が延びる方向と直交する方向に、複数の前記除去棒を多列に配置すると共に、これらの除去棒を行方向に千鳥状に配列している。
【００２５】
（２）前記除去棒は、円柱状の軸部と、この軸部の頭部に形成した円板部と、を有し、前記レーキ部は、前記除去棒の軸部を一方の面から進退自在に突出すると共に、前記円板部を内部に収容した直方体状の収容箱と、前記収容箱の内部に配置され、前記軸部が前記収容箱の一方の面から突出する力を前記円板部に付勢する圧縮コイルばねと、とを有し、複数の前記収容箱は、前記レーキ部の内部に隙間無く配置されていることが好ましい。
【００２６】
（３）前記除去棒の軸部は、前記バー部材の一方の板厚面から前記支持バーに到達しない長さを有していることが好ましい。
【００２７】
（４）前記除去棒の軸部は、塵芥を係合自在な一つ以上の円環状の溝部を先端部側に有していることが好ましい。
【発明の効果】
【００２８】
本発明による除塵用レーキは、操作棒の先端部に固定したレーキ部と、レーキ部から進退自在に突出した複数の除去棒と、を備え、複数の除去棒を操作棒が延びる方向と直交する方向に、多列に配置すると共に、これらの除去棒を行方向に千鳥状に配列しているので、一部の除去棒がバースクリーンのバー部材に当接しても、他の除去棒がバー部材の隙間に進入できる。これにより、複数のバー部材の列間ピッチが異なるバースクリーンであっても、バースクリーンに滞留した塵芥を除去できる。
【図面の簡単な説明】
【００２９】
【図１】本発明の一実施形態による除塵用レーキの構成を示す斜視図であり、バースクリーンを対向配置した状態図である。
【図２】前記実施形態による除塵用レーキの構成を示す図であり、図２（Ａ）は、除塵用レーキの下面図、図２（Ｂ）は、図２（Ａ）の下面図である。
【図３】前記実施形態による除塵用レーキに備わる除去棒及び収容箱を拡大した斜視図である。
【図４】前記実施形態による除塵用レーキの構成を示す下面図であり、バースクリーンを介して、除塵用レーキの操作面を観た状態図である。
【図５】前記実施形態による除塵用レーキに備わるレーキ部を拡大した縦断面図である。
【図６】従来技術によるバースクリーンの構成を示す図であり、図６（Ａ）は、バースクリーンの斜視図、図６（Ｂ）は、バースクリーンの要部を拡大した縦断面図である。
【図７】従来技術による電動式の除塵用レーキの構成を示す図であり、図７（Ａ）は、電動式の除塵用レーキの右側面図、図７（Ｂ）は、電動式の除塵用レーキの正面図である。
【発明を実施するための形態】
【００３０】
以下、図面を参照して本発明を実施するための形態を説明する。
［除塵用レーキの構成］
最初に、本発明の一実施形態による除塵用レーキの構成を説明する。
【００３１】
図１は、本発明の一実施形態による除塵用レーキの構成を示す斜視図であり、バースクリーンを対向配置した状態図である。図２は、前記実施形態による除塵用レーキの構成を示す図であり、図２（Ａ）は、除塵用レーキの下面図、図２（Ｂ）は、図２（Ａ）の下面図である。
【００３２】
図３は、前記実施形態による除塵用レーキに備わる除去棒及び収容箱を拡大した斜視図である。図４は、前記実施形態による除塵用レーキの構成を示す下面図であり、バースクリーンを介して、除塵用レーキの操作面を観た状態図である。
【００３３】
図５は、前記実施形態による除塵用レーキに備わるレーキ部を拡大した縦断面図である。なお、従来技術で付した符号と同じ符号を付した構成品は、その作用を同じにするので以下説明を省略することがある。
【００３４】
（全体構成）
次に、本発明の一実施形態による除塵用レーキの全体構成を説明する。図１から図５を参照すると、本発明の一実施形態による除塵用レーキ１０は、長尺の操作棒１、箱状のレーキ部２、及び、複数の除去棒３を備えている。
【００３５】
図１又は図２及び図４を参照すると、操作棒１は、その基端部を把持できる。そして、操作棒１の基端部を把持して、除塵用レーキ１０を操作できる。操作棒１は、ステンレス管などの管状部材で構成することが好ましい。レーキ部２は、操作棒１の先端部に固定している。実施の形態では、一対の棒状の斜材１１・１１及び円筒状の継手金具１２を用いて、操作棒１の先端部にレーキ部２を固定している。
【００３６】
図１から図５を参照すると、複数の除去棒３は、レーキ部２の一方の面から進退自在に突出している。レーキ部２は、操作棒１が延びる方向と直交する方向に、複数の除去棒３を二列に配置すると共に、これらの除去棒３を行方向に千鳥状に配列している（図２（Ａ）又は図４参照）。
【００３７】
図１から図５を参照すると、実施形態による除塵用レーキ１０は、操作棒１の先端部に固定したレーキ部２と、レーキ部２の一方の面から進退自在に突出した複数の除去棒３と、を備え、複数の除去棒３を操作棒１が延びる方向と直交する方向に、二列に配置すると共に、これらの除去棒３を行方向に千鳥状に配列しているので、一部の除去棒３がバースクリーンＳｂのバー部材Ｂｖに当接しても、他の除去棒３がバー部材Ｂｖの隙間に進入できる（図４又は図５参照）。これにより、複数のバー部材Ｂｖの列間ピッチＰが異なるバースクリーンであっても、バースクリーンＳｂに滞留した塵芥Ｒｆを除去できる。
【００３８】
（レーキ部の構成）
次に、実施形態によるレーキ部２の構成を説明する。図２から図５を参照すると、レーキ部２は、直方体状の収容箱４と圧縮コイルばね５を備えている。収容箱４は、後述する除去棒３の軸部３ｓを収容箱４の一方の面から進退自在に突出している（図３参照）。又、収容箱４は、後述する除去棒３の円板部３ｆを内部に収容している（図５参照）。そして、複数の収容箱４は、レーキ部２の内部に隙間無く配置している（図２（Ａ）又は図４及び図５参照）。
【００３９】
図２（Ａ）を参照すると、レーキ部２の内部には、十二個の収容箱４を後列側に隙間無く配列している。又、レーキ部２の内部には、十一個の収容箱４を前列側に隙間無く配列している。後列側の収容箱４と前列側の収容箱４は、隙間無く配列している。前列側の収容箱４の両端部には、一対の直方体状のスペーサ４ｓ・４ｓを隙間無く配列している。収容箱４は、ステンレス板からなることが好ましい。
【００４０】
図３又は図５を参照すると、圧縮コイルばね５は、収容箱４の内部に配置されている。圧縮コイルばね５は、後述する除去棒３の軸部３ｓが収容箱４から突出する力を円板部３ｆに付勢している。圧縮コイルばね５は、ステンレスの線材からなることが好ましい。
【００４１】
図１を参照して、レーキ部２をバースクリーンＳｂに向かって移動すると、一部の除去棒３は、バー部材Ｂｖの板厚面に当接することで、圧縮コイルばね５に抗して、収容箱４の内部に後退する（図５参照）。一方、他の除去棒３は、バー部材Ｂｖの隙間に進入できる（図４又は図５参照）。これにより、複数のバー部材Ｂｖの列間に滞留した塵芥Ｒｆを掻き出すことができる。
【００４２】
（除去棒の構成）
次に、実施形態による除去棒３の構成を説明する。図３を参照すると、除去棒３は、円柱状の軸部３ｓと円板部３ｆで構成している。円板部３ｆは、軸部３ｓの頭部に形成している。軸部３ｓは、収容箱４の一方の面に開口した穴５ｈに挿通できる（図４又は図５参照）。円板部３ｆは、収容箱４の内部に収容されている。除去棒３は、ステンレス材からなることが好ましい。
【００４３】
図１を参照すると、除去棒３の軸部３ｓは、バー部材Ｂｖの一方の板厚面から支持バーＢｈに到達しない長さを有している。これにより、支持バーＢｈに阻害されることなく、除去棒３をバー部材Ｂｖに沿って移動できる。
【００４４】
図３を参照すると、軸部３ｓは、二つの円環状の溝部３ｄを先端部側に有している。軸部３ｓの先端部側に一つ以上の溝部３ｄを形成することで、複数のバー部材Ｂｖの列間に滞留した塵芥Ｒｆを係合することが容易になる。
【００４５】
［除塵用レーキの作用］
次に、実施形態による除塵用レーキ１０の作用及び効果を説明する。図１から図５を参照すると、実施形態による除塵用レーキ１０は、操作棒１の先端部に固定したレーキ部２と、レーキ部２の一方の面から進退自在に突出した複数の除去棒３と、を備えている。
【００４６】
図１から図５を参照すると、除塵用レーキ１０は、複数の除去棒３を操作棒１が延びる方向と直交する方向に、二列に配置すると共に、これらの除去棒３を行方向に千鳥状に配列しているので、一部の除去棒３がバースクリーンＳｂのバー部材Ｂｖに当接しても、他の除去棒３がバー部材Ｂｖの隙間に進入できる（図４又は図５参照）。これにより、複数のバー部材Ｂｖの列間ピッチＰが異なるバースクリーンであっても、バースクリーンＳｂに滞留した塵芥Ｒｆを除去できる。
【００４７】
図３を参照すると、レーキ部２は、除去棒３の軸部３ｓを収容箱４の一方の面から進退自在に突出すると共に、円板部３ｆを内部に収容した直方体状の収容箱４と、収容箱４の内部に配置され、軸部３ｓが収容箱４の一方の面から突出する力を円板部３ｆに付勢する圧縮コイルばね５と、を備えている。
【００４８】
図１を参照すると、レーキ部２をバースクリーンＳｂに向かって移動すると、一部の除去棒３は、バー部材Ｂｖの板厚面に当接することで、圧縮コイルばね５に抗して、収容箱４の内部に後退できる（図５参照）。一方、他の除去棒３は、バー部材Ｂｖの隙間に進入できる（図４又は図５参照）。これにより、複数のバー部材Ｂｖの列間に滞留した塵芥Ｒｆを掻き出すことができる。レーキ部２をバースクリーンＳｂから解放すると、一部の除去棒３を元の状態に復帰できる（図２（Ｂ）又は図３参照）。
【００４９】
本発明による除塵用レーキは、操作棒の先端部に固定したレーキ部と、レーキ部から進退自在に突出した複数の除去棒と、を備え、複数の除去棒を操作棒が延びる方向と直交する方向に、多列に配置すると共に、これらの除去棒を行方向に千鳥状に配列しているので、一部の除去棒がバースクリーンのバー部材に当接しても、他の除去棒がバー部材の隙間に進入できる。これにより、複数のバー部材の列間ピッチが異なるバースクリーンであっても、バースクリーンに滞留した塵芥を除去できる。
【００５０】
本発明による除塵用レーキは、以下の効果を期待できる。
（１）バースクリーンの列間ピッチ又は水路の横幅に規定されることなく、効率的に除塵ができる。
（２）バースクリーンの水深さにより、操作棒の長さを変えるだけで、レーキ部は多くのバースクリーンに活用できる。
（３）バー部材の間に複数の除去棒が進入することで、塵芥を取り残する頻度が減り、効率的に除塵ができる。
【００５１】
本発明は、手動による除塵用レーキを開示したが、本発明による除塵用レーキは、電動式の除塵用レーキに応用でき、回転ローラ式の除塵用レーキ装置にも応用できる。
【符号の説明】
【００５２】
１  操作棒
２  レーキ部
３  除去棒３
１０  除塵用レーキ
Ｓｂ  バースクリーン
Ｂｖ  バー部材
Ｂｈ  支持バー
【図１】
2018084062.tif 000003
【図２】
2018084062.tif 000004
【図３】
2018084062.tif 000005
【図４】
2018084062.tif 000006
【図５】
2018084062.tif 000007
【図６】
2018084062.tif 000008
【図７】
2018084062.tif 000009